(57)【要約】【課題】複数個のブロックを積み重ねて昇降路を形成する際に、容易かつ迅速に主ロープのローピングを行なえるエレベータの据付方法の提供。【解決手段】乗かご２とつり合いおもり３を所定位置に配置した状態でそれぞれユニット９、１０に組み込み、主ロープ４を適正長さに切断し、主ロープ４の中間部をそれぞれ巻き掛ける対象機器への所定の長さ分毎に纏めて昇降路１の頂部に仮置きした。これにより、ユニット９〜１１を積み重ねた後、乗かご２とつり合いおもり３の位置変更を要せずに済むとともに、主ロープ４の中間部を垂下させて対象機器に巻き掛けることにより、主ロープ４のローピングを行なえる。【選択図】        図１
2004315137.tif 000002
【特許請求の範囲】
【請求項１】
建物の階床ピッチに対応した高さを有する複数個のブロックに、あらかじめ乗かごおよびつり合いおもりを含むエレベータ機器を組込み、前記複数個のブロックを積み重ねて結合していくことにより昇降路を形成するエレベータの据付方法において、
前記乗かごが最上階乗場に位置する際に前記つり合いおもりの底面と前記昇降路の底部との距離があらかじめ定められた適正値となるよう、前記複数個のブロックのうちの所定ブロックに前記乗かごとつり合いおもりとをそれぞれ組み込んでおくことを特徴とするエレベータの据付方法。
【請求項２】
請求項１記載のエレベータの据付方法において、前記乗かごとつり合いおもりとに巻き掛けた際に必要となる適正長さに応じて主ロープをあらかじめ切断しておくとともに、この主ロープの両端をそれぞれ前記昇降路の頂部のロープエンドに取付けて、これらのロープエンド間に位置する前記主ロープの中間部を、それぞれ巻き掛ける対象となる各エレベータ機器への長さ分毎に纏めた状態で前記昇降路の頂部に仮置きした後、前記複数個のブロックを積み重ねて結合することを特徴とするエレベータの据付方法。
【発明の詳細な説明】
【０００１】
【発明の属する技術分野】
本発明は、エレベータの据付方法に関わり、特に、駅舎などの建物の階床ピッチに対応した高さを有する複数個のブロックを積み重ねることにより昇降路を形成するユニット型エレベータの据付方法に関する。
【０００２】
【従来の技術】
従来、この種のユニット型エレベータの据付方法では、複数個のブロックのうちの何れかにエレベータ機器をあらかじめ収納した状態で据付現場へ搬入するとともに、複数個のブロックを積み重ねることにより昇降路を形成することによって、エレベータ据付現場における作業時間の大幅な短縮と運送コストの低減を図ることができる。
【０００３】
この種の従来技術の一例としては、乗かごおよびつり合いおもりをそれぞれ複数個のブロックのうちの何れかにあらかじめ組み込んでおき、エレベータ据付現場にて複数個のブロックを積み上げて昇降路を完成させてから、乗かごが最上階乗場に位置する際につり合いおもりの底面と昇降路底部との距離が定められた所定値となるように、乗かごを所定位置まで移動させて主ロープを掛けるものが提案されている（例えば、特許文献１参照。）。
【０００４】
【特許文献１】
特開平６―１５６９２１号公報
（段落番号０００９、００１３、図１、図３）
【０００５】
【発明が解決しようとする課題】
ところで、前述した従来技術によれば、複数個のブロックを積み上げて昇降路を完成させてから乗かごを移動させるために大掛かりな構成が必要であり、この大掛かりな構成は据付時のみに必要となる仮設材であることから、エレベータ据付コストの大幅アップを招くという問題があった。
【０００６】
本発明は、上記のような従来技術における実状を鑑みてなされたもので、その目的は、複数個のブロックを積み重ねて昇降路を形成する際に、容易かつ迅速に主ロープのローピングを行なうことのできるエレベータの据付方法を提供することにある。
【０００７】
【課題を解決するための手段】
上記目的を達成するため、本発明の請求項１に係る発明は、建物の階床ピッチに対応した高さを有する複数個のブロックに、あらかじめ乗かごおよびつり合いおもりを含むエレベータ機器を組込み、前記複数個のブロックを積み重ねて結合していくことにより昇降路を形成するエレベータの据付方法において、前記乗かごが最上階乗場に位置する際に前記つり合いおもりの底面と前記昇降路の底部との距離があらかじめ定められた適正値となるよう、前記複数個のブロックのうちの所定ブロックに前記乗かごとつり合いおもりとをそれぞれ組み込んでおく構成にした。
【０００８】
このように請求項１に係る発明では、乗かごが最上階乗場に位置する際につり合いおもりの底面と昇降路の底部との距離があらかじめ定められた適正値となるよう、複数個のブロックのうちの所定ブロックに乗かごとつり合いおもりとをそれぞれ組み込んでおくので、複数個のブロックを積み重ねて昇降路を形成した後、乗かごおよびつり合いおもりの位置を変更することなく主ロープをローピングすることができ、すなわち、容易かつ迅速に主ロープのローピングを行なうことができる。
【０００９】
また、上記目的を達成するため、本発明の請求項２に係る発明は、請求項１に係る発明において、前記乗かごとつり合いおもりとに巻き掛けた際に必要となる適正長さに応じて主ロープをあらかじめ切断しておくとともに、この主ロープの両端をそれぞれ前記昇降路の頂部のロープエンドに取付けて、これらのロープエンド間に位置する前記主ロープの中間部を、それぞれ巻き掛ける対象となる各エレベータ機器への長さ分毎に纏めた状態で前記昇降路の頂部に仮置きした後、前記複数個のブロックを積み重ねて結合する構成にした。
【００１０】
このように請求項２に係る発明では、あらかじめ主ロープの長さを適正長さに切断しておき、ロープエンド間に位置する主ロープの中間部をそれぞれ巻き掛ける対象となる各エレベータ機器への長さ分毎に纏めて昇降路の頂部に仮置きしたので、複数個のブロックを積み重ねて昇降路を形成した後、各エレベータ機器への長さ分毎に纏めた主ロープの中間部を順次昇降路の下方に垂下させて対象機器に巻き掛けることができ、この点からも容易かつ迅速に主ロープのローピング作業を行なうことができる。
【００１１】
【発明の実施の形態】
以下、本発明のエレベータの据付方法の実施の形態を図に基づいて説明する。
【００１２】
図１は本発明の一実施形態に係るエレベータの据付方法を説明する図、図２は乗かごおよびつり合いおもりを所定位置で固定した状態を示す図、図３は乗かごおよびつり合いおもりを昇降させる状態を示す図である。
【００１３】
図３に示すエレベータは、昇降路１内を昇降する乗かご２およびつり合いおもり３と、これらの乗かご２およびつり合いおもり３を吊上げる主ロープ４と、昇降路１の底部に設置され、主ロープ４が巻き掛けられる巻上機５と、昇降路１の底部に設置され、乗かご２およびつり合いおもり３をそれぞれ受ける緩衝器６とを備えている。主ロープ４の両端はそれぞれ昇降路１の頂部のロープエンド７に取付けられ、これらのロープエンド７間に位置する主ロープ４の中間部は前記のつり合いおもり３、巻上機５、乗かご２および一対のガイドプーリ８に巻き掛けられている。
【００１４】
そして、本実施形態の据付方法が用いられるエレベータでは、図示しない建物の階床ピッチに対応した高さを有するブロック、例えば下部ユニット９、中間ユニット１０および上部ユニット１１を積み重ねて結合していくことにより前記の昇降路１を形成するようになっている。
【００１５】
この実施形態の据付方法にあっては、図３に示すようにあらかじめ下部ユニット９、中間ユニット１０および上部ユニット１１により昇降路１を形成し、この昇降路１内に乗かご２、つり合いおもり３、主ロープ４、巻上機５、緩衝器６、ロープエンド７、およびガイドプーリ８をそれぞれ設ける。そして、乗かご２とつり合いおもり３とに巻き掛けた際に必要となる適正長さに応じて、主ロープ４をあらかじめ切断しておくとともに、この主ロープ４の両端をそれぞれ昇降路１の頂部のロープエンド７に取付ける。なお、図３に示すように、乗かご２が最上階乗場１２に位置する際につり合いおもり３の底面が昇降路１の底部に設置してある緩衝器６の上面との距離Ｌ１が定められた適正値となるように、主ロープ４の適切長さが設定されている。
【００１６】
次に、乗かご２を最上階乗場１２から最下階乗場１３の位置まで下降させるとともに、つり合いおもり３を最下階乗場１３付近から最上階乗場１２付近まで上昇させる。次に、乗かご２を図１の所定距離Ｌ２上昇させて、つり合いおもり３を図１の所定距離Ｌ２下降させることにより、図２に示すように、乗かご１を下部ユニット９に乗かご１を収納して、この乗かご１を乗かご固定具１４に固定するとともに、つり合いおもり６を中間ユニット１０に収納してつり合いおもり固定具１５に固定する。これにより、乗かご２が最上階乗場１３に位置する際につり合いおもり３の底面と緩衝器６の上面との距離Ｌ１があらかじめ定められた適正値となるよう、下部ユニット９に乗かご２が組み込まれるとともに、中間ユニット１０につり合いおもり３が組み込まれている。
【００１７】
次に、図１に示すようにロープエンド７間に位置する主ロープ４の中間部を、それぞれ巻き掛ける対象となる各エレベータ機器、すなわちつり合いおもり３、巻上機５および乗かご２への長さ分毎に纏めた状態で上部ユニット１１の頂部に仮置きした後、昇降路１を下部ユニット９、中間ユニット１０および上部ユニット１１に分割した状態でエレベータ据付現場へ搬入する。次いで、このエレベータ据付現場では、下部ユニット９、中間ユニット１０および上部ユニット１１を順次積み重ねて結合することにより昇降路１を形成した後、上部ユニット１１の頂部に仮置きしてある主ロープ４の中間部を解き、それぞれ巻き掛ける対象となる各エレベータ機器、すなわちつり合いおもり３、巻上機５および乗かご２まで降ろし巻き掛ける。
【００１８】
このように構成した本実施形態の据付方法では、乗かご２が最上階乗場１２に位置する際につり合いおもり３の底面と緩衝器６の上面との距離Ｌ１があらかじめ定められた適正値となるよう、下部ユニット９に乗かご２を組み込むとともに中間ユニット１０につり合いおもり３を組み込んでくので、下部ユニット９、中間ユニット１０および上部ユニット１１を積み重ねて昇降路１を形成した後、乗かご２およびつり合いおもり３の位置を変更することなく、容易かつ迅速に主ロープ４のローピングを行なうことができる。
【００１９】
また、本実施形態の据付方法では、あらかじめ主ロープ４の長さを適正長さに切断し、ロープエンド７間の主ロープ４の中間部をそれぞれ巻き掛ける対象となる各エレベータ機器への長さ分毎に纏めて昇降路１の頂部に仮置きしたので、下部ユニット９、中間ユニット１０および上部ユニット１１を順次積み重ねて昇降路１を形成した後、各エレベータ機器への長さ分毎に纏めた主ロープ４の中間部を順次昇降路１の下方に垂下させて対象機器に巻き掛けることができ、この点からも容易かつ迅速に主ロープ４のローピング作業を行なうことができる。
【００２０】
【発明の効果】
以上説明したように、本発明の請求項１に係る発明は、乗かごが最上階乗場に位置する際につり合いおもりの底面と昇降路の底部との距離があらかじめ定められた適正値となるよう、複数個のブロック内の所定ブロックに乗かごとつり合いおもりとをそれぞれ組み込んでおくので、複数個のブロックを積み重ねて昇降路を形成した後、乗かごおよびつり合いおもりの位置を変更することなく、容易かつ迅速に主ロープのローピングを行なえる。
【００２１】
また、本発明の請求項２に係る発明は、あらかじめ主ロープの長さを適正長さに切断しておき、ロープエンド間の主ロープの中間部をそれぞれ巻き掛ける対象となるエレベータ機器への長さ分毎に纏めて昇降路の頂部に仮置きしたので、複数個のブロックを積み重ねて昇降路を形成した後、エレベータ機器への長さ分毎に纏めた主ロープの中間部を順次昇降路の下方に垂下させて対象機器に巻き掛けることができ、この点からも容易かつ迅速に主ロープのローピングを行なえる。
【００２２】
したがって、本発明によれば、複数個のブロックを積み重ねて昇降路を形成する作業効率を向上させることができるとともに、昇降路の完成後に乗かごを移動させる大掛かりな構成を要せずに済み、エレベータ据付コストを抑えることができるという効果がある。
【図面の簡単な説明】
【図１】本発明の一実施形態に係るエレベータの据付方法を説明する図である。
【図２】乗かごおよびつり合いおもりを所定位置で固定した状態を示す図である。
【図３】乗かごおよびつり合いおもりを昇降させる状態を示す図である。
【符号の説明】
１  昇降路
２  乗かご
３  つり合いおもり
４  主ロープ
５  巻上機
６  緩衝器
７  ロープエンド
８  ガイドプーリ
９  下部ユニット（ブロック）
１０  中間ユニット（ブロック）
１１  上部ユニット（ブロック）
１２  最上階乗場
１３  最下階乗場
１４  乗かご固定具
１５  つり合いおもり固定具
【図１】
2004315137.tif 000003
【図２】
2004315137.tif 000004
【図３】
2004315137.tif 000005